(57)【要約】【課題】周波数走査信号受信機Ｒと信号送信機Ｔを一体構成し、受信機Ｒに用いるＰＬＬ発振器を送信機Ｔに併用して回路構成が簡単で製造コストが安価な短距離無線伝送送受信機を提供する。【解決手段】受信電波の周波数走査で空きチャネル周波数を探索する周波数走査信号受信部Ｒと探索した空きチャネル周波数を用いて送信電波を送信する信号送信部Ｔからなり、受信部Ｒは、制御部１４の制御でＰＬＬ発振器の周波数を順次変更して所定周波数帯域内の受信周波数の有無をキャリア検出器１３の出力状態により探索し、制御部１４が空きチャネル周波数を検出すると、ＰＬＬ発振器の発振周波数をその空きチャネル周波数に対応した発振周波数に固定し、固定した発振周波数を送信部Ｔに供給し、送信部Ｔは、供給された発振周波数を局部発振信号として送信信号を形成し、空きチャネル周波数と同じチャネル周波数の送信信号を送信電波として送信する。【選択図】図１
2007329573.tif 000002
【特許請求の範囲】
【請求項１】
受信電波の周波数走査によって空きチャネル周波数を探索する周波数走査信号受信部と、探索した空きチャネル周波数を用いて送信電波を送信する信号送信部とからなる短距離無線伝送用送受信機であって、前記周波数走査信号受信部は、制御部の制御によってＰＬＬを構成する局部発振器の発振周波数を順次変更して所定周波数帯域内の受信周波数の有無をキャリア検出器の出力状態によって探索し、前記制御部がその探索によって空きチャネル周波数を検出すると、前記局部発振器の発振周波数をその空きチャネル周波数に対応した発振周波数に固定するとともに、固定した発振周波数を前記信号送信部にも供給し、前記信号送信部は、供給された発振周波数を局部発振周波数に用いて送信信号の周波数変換を行い、前記空きチャネル周波数と同じチャネル周波数の送信信号を形成し、形成した送信信号を送信電波として送信することを特徴とする短距離無線伝送用送受信機。
【請求項２】
前記信号送信部は、変調信号によって発振信号が変調された電圧制御発振器と、前記電圧制御発振器の変調された発振信号と前記空きチャネル周波数に対応した発振周波数とを周波数混合する変調器とを備え、前記変調器から前記空きチャネル周波数と同じチャネル周波数の送信信号が出力されることを特徴とする請求項１に記載の短距離無線伝送用送受信機。
【請求項３】
前記変調器は、アナログ乗算器であることを特徴とする請求項２に記載の短距離無線伝送用送受信機。
【請求項４】
前記周波数走査信号受信部は、受信信号と前記局部発振器の発振周波数とを周波数混合して第１中間周波信号を形成する第１周波数変換部と、前記第１中間周波信号と第２局部発振器の発振周波数とを周波数混合して第２中間周波信号を形成する第２周波数数変換部とを備えていることを特徴とする請求項１に記載の短距離無線伝送用送受信機。
【請求項５】
前記周波数走査信号受信部は、復調回路と低周波増幅器との間に前記復調回路から供給された復調信号及び前記信号送信部から供給された変調信号を選択的に前記低周波増幅器に出力する可制御スイッチ手段を備え、前記制御部は、空きチャネル周波数を探索した際に、この可制御スイッチ手段に切替電圧を供給してそれまでの前記復調信号の出力から前記変調信号の出力に切替えることを特徴とする請求項１に記載の短距離無線伝送用送受信機。
【発明の詳細な説明】
【技術分野】
【０００１】
本発明は、短距離無線伝送用送受信機に係り、特に、周波数走査信号受信部と信号送信部とからなり、信号送信部から音声、音楽、データ等の情報を送信するのに先立って、周波数走査信号受信部が受信信号周波数帯を走査して当該周波数帯における空きチャネルを検出し、信号送信部の送信周波数を自動的にその空きチャネル周波数に設定する短距離無線伝送用送受信機に関する。
【背景技術】
【０００２】
一般に、信号送信機が微弱電波を送信してその近くにある信号受信機に音声、音楽、データ等の情報を送信することは、その送受信に対して免許を受ける必要がなく、誰でも手軽に送受信することができるため、多くのユーザーが利用している。この場合、その送受信に使用できる微弱電波の周波数は、それぞれの地点で既に利用されている諸電波周波数に重なり合うことがないように、使用電波周波数の隙間に当たる周波数を選定する必要がある。このような周波数設定を行わないと、送信された微弱電波は、諸電波から受ける妨害の影響が大きく、微弱電波の送受信をすることができなくなる可能性があるからである。このため、通常、微弱電波を送信する信号送信機を動作させる前に、周波数走査信号受信機によってクリアランスの調査を行い、妨害諸電波が存在していない周波数（周波数チャネル）に送信周波数を設定することが行われている。
【０００３】
ところで、このような微弱電波を送信する信号送信機は、送信信号周波数をその周波数帯内の任意の周波数にできるように可変することができる必要があり、そのために、信号送信機は、ＬＣ共振回路を有する簡単な自励式発振器によって周波数を可変させる手段またはＰＬＬ（位相同期ループ）シンセサイザー発振器によって周波数を可変させる手段のいずれかを用いている。
【特許文献１】使用する特許文献はなし
【発明の開示】
【発明が解決しようとする課題】
【０００４】
この場合、信号送信機に自励式発振器を用いる手段は、回路構成が簡単で製造コストが安価である代わりに、発振周波数精度や発振周波数安定度は十分に良好であるとはいえないものである。これに対し、信号送信機にＰＬＬシンセサイザー発振器を用いる手段は、発振周波数精度や発振周波数安定度は殆ど問題がない程度に優れたものである代わりに、回路構成が複雑になりその分製造コストが高価になってしまう。
【０００５】
本発明は、このような技術的背景に基いてなされたもので、その目的は、周波数走査信号受信機と信号送信機とを一体化構成し、周波数走査信号受信機に用いているＰＬＬシンセサイザー発振器を信号送信機に併用することにより、回路構成が簡単で製造コストが安価な短距離無線伝送用送受信機を提供することにある。
【課題を解決するための手段】
【０００６】
前記目的を達成するために、本発明による短距離無線伝送用送受信機は、受信電波の周波数走査によって空きチャネル周波数を探索する周波数走査信号受信部と、探索した空きチャネル周波数を用いて送信電波を送信する信号送信部とからなるものであって、周波数走査信号受信部は、制御部の制御によってＰＬＬを構成する局部発振器の発振周波数を順次変更して所定周波数帯域内の受信周波数の有無をキャリア検出器の出力状態によって探索し、制御部がその探索によって空きチャネル周波数を検出すると、局部発振器の発振周波数をその空きチャネル周波数に対応した発振周波数に固定するとともに、固定した発振周波数を信号送信部に供給し、信号送信部は、供給された発振周波数を局部発振周波数に用いて送信信号の周波数変換を行い、空きチャネル周波数と同じチャネル周波数の送信信号を形成し、形成した送信信号を送信電波として送信する構成手段を備えている。
【０００７】
前記構成手段において、信号送信部は、変調信号によって発振信号が変調された電圧制御発振器と、電圧制御発振器の変調された発振信号と空きチャネル周波数に対応した発振周波数とを周波数混合する変調器とを備え、変調器から空きチャネル周波数と同じチャネル周波数の送信信号が出力されるものである。この場合、変調器は、アナログ乗算器であることが好ましい。
【０００８】
また、前記構成手段において、周波数走査信号受信部は、受信信号と局部発振器の発振周波数とを周波数混合して第１中間周波信号を形成する第１周波数変換部と、第１中間周波信号と第２局部発振器の発振周波数とを周波数混合して第２中間周波信号を形成する第２周波数数変換部とを備えた構成にすることができる。
【０００９】
さらに、前記構成手段において、周波数走査信号受信部は、復調回路と低周波増幅器との間に復調回路から供給された復調信号及び信号送信部から供給された変調信号を選択的に低周波増幅器に出力する可制御スイッチ手段を備え、制御部は、空きチャネル周波数を探索した際に、この可制御スイッチ手段に切替電圧を供給してそれまでの復調信号の出力から変調信号の出力に切替える構成を備えているものである。
【００１０】
前記構成手段は、次のような動作原理に基づいて得られたものである。すなわち、周波数走査信号受信部のＰＬＬシンセサイザー発振器で形成される局部発振周波数は、受信信号周波数よりも中間周波数だけ高い周波数に設定されるかまたは受信信号周波数よりも中間周波数だけ低い周波数に設定されるかのいずれかである。そして、いま、例えば、局部発振周波数が受信信号周波数よりも中間周波数だけ低い周波数であったとした場合、逆に、局発周波数と中間周波数とを加えると受信信号周波数となる。
【００１１】
以上のことから、ＰＬＬシンセサイザー発振器に用いられている分周器の分周比設定を変化させながら、所定周波数帯域内のチャネル周波数を次々に走査して受信信号の有無を検出する過程において、空きチャネル周波数が検出されたとき、そのチャネル周波数で走査を停止し、そのときの局部発振周波数に固定する。一方、信号送信部側には、中間周波数に等しい周波数を発振する発振器を設け、この発振器の発振出力とＰＬＬシンセサイザー発振器の発振出力とを変調器に加えて乗算処理をすると、変調器の出力に空きチャネル周波数と同じチャネル周波数の送信信号を得ることができる。
【発明の効果】
【００１２】
以上、詳しく述べたように、従来、信号送信機から微弱電波を送信する場合、周波数走査信号受信機を用いて空きチャネル周波数を検出した後、信号送信機の送信周波数をその空きチャネル周波数に合わせるための操作設定を必要としていたが、本発明による短距離伝送無線送受信機によれば、信号送信部と周波数走査信号受信部とを一体化構成し、周波数走査信号受信部の受信信号の走査によって空きチャネル周波数が検出されたとき、そのときのＰＬＬシンセサイザー発振器の発振出力を用いて、直ちに空きチャネル周波数と同じチャネル周波数による微弱電波の送信を行うことができるので、全体の回路構成が極めて簡単である上に、信号送信部側の送信周波数の操作設定を行う必要がないので、操作が容易で製造コストが安価な短距離伝送無線送受信機が得られるという効果がある。
【発明を実施するための最良の形態】
【００１３】
以下、本発明の実施の形態を図面を参照して説明する。
【００１４】
図１は、本発明による短距離伝送無線送受信機の実施の形態に係るもので、その要部構成を示すブロック回路図である。
【００１５】
図１に示されるように、この実施の形態に係る短距離伝送無線送受信機は、周波数走査信号受信部Ｒと、信号送信部Ｔと、送受信兼用部Ｃとからなっている。
【００１６】
この場合、周波数走査信号受信部Ｒは、高周波増幅器（ＲＡ）１と、第１ミキサ段（ＭＩＸ１）２と、第１電圧制御発振器（ＶＣＯ１）３と、位相比較器（ＣＯＭ）４と、周波数分周器（ＦＤ）５と、基準周波数発生器（ＲＥＦ）６と、第１中間周波増幅器（ＩＦＡ１）７と、第２ミキサ段（ＭＩＸ１）８と、第２電圧制御発振器（ＶＣＯ１）９と、第１オフセット電圧発生器（ＯＦＳ１）１０と、第２中間周波増幅器（ＩＦＡ１）１１と、復調器（ＤＥＴ）１２と、キャリア検出器（ＣＤＥＴ）１３と、制御部（ＣＰＵ）１４と、切替スイッチ（ＳＷ）１５と、低周波増幅器（ＬＡ）１６とからなっている。また、信号送信部Ｔは、第３電圧制御発振器（ＶＣＯ３）１７と、第１オフセット電圧発生器（ＯＦＳ２）１８と、第３ミキサ段（ＭＩＸ３）１９とからなっている。さらに、送受信兼用部Ｃは、送受信アンテナ２０と、デュプレクサ（ＤＵＰ）２１と、低周波信号出力端子２２と、変調信号入力端子２３と、制御信号入出力端子２４とからなっている。なお、周波数走査信号受信部Ｒにおける第１電圧制御発振器３と位相比較器４と周波数分周器５とからなる部分は、ＰＬＬシンセサイザー発振回路を構成している。
【００１７】
そして、周波数走査信号受信部Ｒにおいて、高周波増幅器１は、入力端が送受信兼用部Ｃのデュプレクサ２１の出力端に接続され、出力端が第１ミキサ段２の第１入力端に接続される。第１ミキサ段２は、第２入力端が第１電圧制御発振器３の出力端と周波数分周器５の入力端に接続され、出力端が第１中間周波増幅器７の入力端に接続される。第１電圧制御発振器３は、入力端が位相比較器４の出力端に接続される。位相比較器４は、第１入力端が周波数分周器５の出力端に接続され、第２入力端が基準周波数発生器６の出力端に接続される。周波数分周器５は、制御端が制御部１４の第１出力端に接続される。第１中間周波増幅器７は、第２ミキサ段８の第１入力端に接続される。第２ミキサ段８は、第２入力端が第２電圧制御発振器９の出力端に接続され、出力端が第２中間周波増幅器１１の入力端に接続される。第２電圧制御発振器９は、制御端が第１オフセット電圧発生器１０の出力端に接続され、第１オフセット電圧発生器１０は、制御端が制御部１４の第３出力端に接続される。第２中間周波増幅器１１は、出力端が復調器１２の入力端に接続される。復調器１２は、第１出力端が切替スイッチ１５の第１入力端に接続され、第２出力端がキャリア検出器１３の入力端に接続される。キャリア検出器１３は、出力端が制御部１４の入力端に接続される。制御部１４は、第２出力端が信号送信部Ｔの第３電圧制御発振器１７の入力端に接続され、制御端が切替スイッチ１５の制御端と送受信兼用部Ｃの制御信号入出力端子２４に接続される。切替スイッチ１５は、第２入力端が送受信兼用部Ｃの変調信号入力端子２３に接続され、出力端が低周波増幅器１６の入力端に接続される。低周波増幅器１６は、出力端が送受信兼用部Ｃの低周波信号出力端子２２に接続される。
【００１８】
また、信号送信部Ｔにおいて、第３電圧制御発振器１７は、入力端が送受信兼用部Ｃの変調信号入力端子２３に接続され、第１制御端が周波数走査信号受信部Ｒの制御部１４の第３出力端に接続され、第２制御端が第２オフセット電圧発生器１８の出力端に接続され、出力端が第３ミキサ段１９の第１入力端に接続される。第２オフセット電圧発生器１８は、制御端が周波数走査信号受信部Ｒの制御部１４の第３出力端に接続される。第３ミキサ段１９は、第２入力端が周波数走査信号受信部Ｒの第１電圧制御発振器３の出力端に接続され、出力端が送受信兼用部Ｃのデュプレクサ２１の入力端に接続される。さらに、送受信兼用部Ｃにおいて、デュプレクサ２１は、入出力端が送受信アンテナ２０に接続される。
【００１９】
前記構成に係る短距離伝送無線送受信機は、次のように動作する。
【００２０】
いま、送受信アンテナ２０によって電波信号を受信すると、その受信信号はデュープレクサ２１を通して周波数走査信号受信部Ｒに入力される。周波数走査信号受信部Ｒは、入力された受信信号を高周波増幅器１で増幅し、増幅した受信信号が第１ミキサ段２の第１入力端に供給される。第１ミキサ段２は、第１電圧制御発振器３と位相比較器４と周波数分周器５とからなるＰＬＬシンセサイザー発振回路が発振する第１局部発振信号が第２入力端に供給され、受信信号と第１局部発振信号とを周波数混合し、その周波数混合出力が第１中間周波増幅器７に供給される。この場合、ＰＬＬシンセサイザー発振回路が発生する第１局部発振信号は、制御部１４により分周比が制御される周波数分周器５によってその周波数が設定される。
【００２１】
第１中間周波増幅器７は、供給された周波数混合出力の中から第１中間周波信号を増幅することによって抽出し、抽出した第１中間周波信号が第２ミキサ段８の第１入力端に供給される。第２ミキサ段８は、第２電圧制御発振器９が発振する第２局部発振信号が第２入力端に供給され、第１中間周波信号と第２局部発振信号とを周波数混合し、その周波数混合出力が第２中間周波増幅器１１に供給される。このとき、第２電圧制御発振器９が発生する第２局部発振信号は、第１オフセット電圧発生器１０を通して周波数制御する制御部１４によってその周波数が設定される。なお、第１オフセット電圧発生器１０の機能については、後述する。
【００２２】
第２中間周波増幅器１１は、供給された周波数混合出力の中から第２中間周波信号を増幅することによって抽出し、抽出した第２中間周波信号が復調器１２に供給される。復調器１２は、供給された第２中間周波信号を復調し、その中の低周波信号を抽出する。抽出された低周波信号は、切替スイッチ１５を通して低周波信号増幅器１６に供給され、そこで増幅されて低周波信号出力端子２２に供給される。このとき、キャリア検出器１３は、復調器１２に供給された第２中間周波信号からキャリア信号成分を検出し、キャリア信号成分が検出されたときに検出信号を制御部に１４に供給し、一方、キャリア信号成分が検出されないときに非検出信号を制御部に１４に供給する。
【００２３】
ここで、周波数走査信号受信部Ｒで行われる受信信号の周波数走査時の動作について説明する。
【００２４】
この受信信号の周波数走査は、ＰＬＬシンセサイザ発振回路が発生する第１局部発振信号周波数を掃引変化させることによって行われるもので、制御部１４がＰＬＬシンセサイザ発振回路の周波数分周器５の分周比の設定を順次変化させ、それによってＰＬＬシンセサイザ発振回路から発生する第１局部発振信号周波数を掃引変化させるものである。
【００２５】
ところで、通常、周波数分周器５に設定される分周比は、整数値が使用されるもので、第１局部発振信号周波数は、基準周波数発生器６が発生する基準周波数の整数倍の信号周波数に設定される。また、基準周波数発生器６が発生する基準周波数は、通常、それぞれの受信信号周波数帯域において、電波が割り当てられている周波数間隔（チャネルスペーシング）に等しい周波数に選ばれている。
【００２６】
従って、いま、例えば、チャネルスペーシングを１０ｋＨｚに設定すれば、実際の受信信号に割り当てられる各チャネル周波数は、１０５ｋＨｚ、１１５ｋＨｚ、１２５ｋＨｚ、・・・・のように１０ｋＨｚ間隔に設定されているためで、そのときの第１局部発振信号周波数は、７０ｋＨｚ、８０ｋＨｚ、９０ｋＨｚ、・・・・のように１０ｋＨｚ間隔に変化され、その結果、第１中間周波数は、３５ｋＨｚに設定されることになる。また、受信信号の周波数が２００ｋＨｚ近辺の周波数帯域になると、実際の受信信号に割り当てられる各チャネル周波数は、２０２．５ｋＨｚ、２１２．５ｋＨｚ、２２２．５ｋＨｚ、・・・・１０ｋＨｚ間隔に設定されており、第１局部発振信号周波数は、１７０ｋＨｚ、１８０ｋＨｚ、１９０ｋＨｚ、・・・・のように１０ｋＨｚ間隔に変化され、その結果、第１中間周波数は、３２．５ｋＨｚに設定されることになる。
【００２７】
この場合、受信信号周波数によってそのチャネル周波数が基準周波数の整数倍の周波数からどの程度の周波数偏差を生じた状態で設定されているかは、予め判っていることである。このため、制御部１４は、受信信号周波数に対応した各チャネル周波数を設定する際に、周波数分周器５の分周比を当該チャネル周波数に対応した分周比になるように設定するとともに、第２電圧制御発振器９を制御する周波数制御電圧を供給する際に、その周波数制御電圧に第１オフセット電圧発生器１０が選択的に発生するオフセット電圧を加算することにより、所定周波数偏差だけ周波数オフセットした第１局部発振信号周波数を発生するようにしている。このため、受信信号周波数がどのチャネル周波数で走査されるときでも、第２ミキサ段８から出力され、第２中間周波増幅器１１で選択増幅される第２中間周波信号は、常時、正しい第２中間周波数が保持されるように設定される。
【００２８】
この後、第２中間周波増幅器１１で選択増幅される第２中間周波信号は、復調器１２で復調され、復調された低周波信号は、切替スイッチ１５を通して低周波増幅器１６で増幅された後、低周波信号出力端子２２から利用回路（図示なし）に出力される。このとき、受信中のチャネルに受信信号が存在しているか否かは、キャリア検出器１３によって検出され、その検出結果が制御部１４に供給される。
【００２９】
そして、周波数走査信号受信部Ｒを単独動作させる際は、キャリア検出器１３において受信信号が存在している旨の検出が行われた場合、制御部１４は、周波数分周器５の分周比の設定をそのときの設定に固定させ、当該受信チャネル周波数を継続して受信するように動作させる。一方、キャリア検出器１３において受信信号が存在しない旨の検出が行われた場合、制御部１４は、周波数分周器５の分周比の設定を次のチャネル周波数を受信する分周比に設定変更し、その後、キャリア検出器１３において受信信号が存在する旨の検出が行われるまで、周波数分周器５の分周比の設定を順次次の設定に変更させる。
【００３０】
これに対して、周波数走査信号受信部Ｒとともに信号送信部Ｔを動作させる場合は、周波数走査信号受信部Ｒを単独動作させる際の制御動作と反対の制御動作が行われる。すなわち、周波数走査信号受信部Ｒは、キャリア検出器１３において受信信号が存在しない旨の検出が行われた場合、制御部１４は、周波数分周器５の分周比の設定をそのときの設定に固定させ、当該受信チャネル周波数を継続して受信する状態にする。一方、キャリア検出器１３において受信信号が存在する旨の検出が行われた場合、制御部１４は、周波数分周器５の分周比の設定を次のチャネル周波数を受信する分周比に設定変更し、その後、キャリア検出器１３において受信信号が存在しない旨の検出が行われるまで、周波数分周器５の分周比の設定を順次次の設定に変更させる。
【００３１】
そして、制御部１４は、キャリア検出器１３において受信信号が存在しない旨の検出が行われ、それにより周波数分周器５の分周比の設定をそのときの設定に固定させると、信号送信部Ｔの第３電圧制御発振器１７を非動作状態から動作状態に設定変更し、第３電圧制御発振器１７は、制御部１４から供給される周波数制御電圧によって周波数走査信号受信部Ｒの第１中間周波信号周波数に等しい周波数の送信キャリア信号を発生する。
【００３２】
この場合、制御部１４は、受信信号のチャネル周波数が第２電圧制御発振器９を周波数制御する制御電圧に第１オフセット電圧発生器１０からのオフセット電圧が加算されている状態であったときに限って、第２オフセット電圧発生器１８に制御電圧を供給してオフセット電圧を発生させ、そのときのオフセット電圧を周波数制御電圧に加算させて第３電圧制御発振器１７に供給することにより、第３電圧制御発振器１７は、所定周波数偏差だけ周波数オフセットした送信キャリア信号を発振する。これに対し、受信信号のチャネル周波数が第２電圧制御発振器９を周波数制御する制御電圧に第１オフセット電圧発生器１０からのオフセット電圧が加算されていない状態であれば、第３電圧制御発振器１７に供給される周波数制御電圧にオフセット電圧が加算されず、第３電圧制御発振器１７は、周波数制御電圧に対応した送信キャリア信号を発振する。
【００３３】
この後、信号送信部Ｔにおいて、変調器１９は、第３電圧制御発振器１７が発振した送信キャリア信号と周波数走査信号受信部ＲのＰＬＬシンセサイザー発振回路から出力された第１局部発振信号とが供給されると、送信キャリア信号が第１局部発振信号によって変調、例えば振幅変調され、変調器１９から空きチャネル周波数と同じチャネル周波数の送信信号が導出される。導出された送信信号は、デュプレクサ２１を通して送受信アンテナ２０に供給され、送受信アンテナ２０から微弱電波として送信される。
【００３４】
この時点に、信号送信部Ｔの第３電圧制御発振器１７に、変調信号入力端子２３から供給される音声、音楽、データ等の情報からなる変調信号を供給すれば、第３電圧制御発振器１７は、発振する送信キャリア信号が変調信号によって変調、例えば周波数変調される。このため、変調器１９の出力には、空きチャネル周波数と同じチャネル周波数の周波数変調された送信信号が導出されれ、その送信信号が送受信アンテナ２０から送信される。
【００３５】
ところで、変調器１９は、空きチャネル周波数と同じチャネル周波数の送信信号が形成されればよいので、変調器１９の回路構成及び変調形式は、基本的にはどのようなものであっても構わないが、回路構成の点から見て振幅変調器を用いるのが最も簡易な手段である。
【００３６】
前記の実施の形態においては、第１局部発振信号周波数は、受信信号周波数より第１中間周波信号周波数だけ低いものであって、第１局部発振信号周波数に第１中間周波信号周波数を加えると、受信信号周波数となる例を挙げて説明した。この例においては、変調器１９において第１中間周波信号周波数に等しい第３電圧制御発振器１７が発振する送信キャリア信号を第１局部発振信号で振幅変調すると、変調器１９の出力には、第１局部発振信号周波数に等しい周波数成分と、この周波数を中心として受信信号周波数に等しい周波数成分を持つ上側帯波と、送信キャリア信号周波数から第１中間周波信号周波数に等しい周波数だけ低い周波数成分を持つ下側帯波が発生する。これら３つの周波数成分の送信電力は、総合しても免許を必要としない微弱電力であるから、そのまま送受信アンテナ２０から送信することができ、上側帯波が他の受信機によって受信されることになる。
【００３７】
この場合、変調器１９からの出力信号は、そのまま送受信アンテナ２０から送信するようにしてもよいが、第１局部発振信号周波数に等しい周波数成分や下側帯波に該当する周波数成分は本来不要なものである。このため、変調器１９としてアナログ乗算器を用いたり、変調器１９とデユプレクサ２１との間に、不要な周波数成分を除去するバンドパスフィルタを挿入したりすることが好ましい。さらに、変調器１９の回路構成が若干複雑になることが許されるとすれば、変調器１９に、２つのリング変調器と２つの９０度移相器とを用いて構成したＳＳＢ（単側帯波）変調器を構成することも可能である。
【００３８】
なお、信号送信部Ｔにおける第３電圧制御発振器１７は、その発振信号周波数が周波数走査信号受信部Ｒの第１中間周波信号周波数に等しいものであるので、周波数走査信号受信部Ｒの単独動作中に、第３電圧制御発振器１７の発振信号が第１中間周波回路内に混入すると、強力な妨害信号となり、受信信号の処理が不能になることがある。このため、信号送信部Ｔは、送信動作を行っていないとき、第３電圧制御発振器１７が完全に非動作状態になるように設定しておく必要がある。
【００３９】
また、周波数走査信号受信部Ｒに使用している切替スイッチ１５は、制御部１４から導出される制御信号によってその可動接点が切替えられるもので、選択的に変調信号をループバックするものである。切替スイッチ１５には、復調器１２からの低周波信号及び変調信号入力端子２３から供給される変調信号が入力され、それらの信号が選択的に低周波増幅器１６に供給される。すなわち、切替スイッチ１５の可動接点が実線状態に切替えられているとき、受信信号を復調した低周波信号が低周波増幅器１６に供給され、低周波信号の再生等を行うことができ、一方、切替スイッチ１５の可動接点が点線状態に切替えられているとき、変調信号がこの切替スイッチ１５を通して低周波増幅器１６に供給されてループバック状態になり、変調信号の再生等を行ってその内容の確認等を行うことができる。
【００４０】
前記実施の形態においては、前述のように、第１局部発振信号周波数は、受信信号周波数より第１中間周波信号周波数だけ低いものであって、第１局部発振信号周波数に第１中間周波信号周波数を加えると、受信信号周波数となる例を挙げて説明したが、本発明においては、このような例に限られるものではなく、局部発振信号周波数が受信信号周波数よりも第１中間周波信号周波数だけ高く設定されている場合であっても、第１局部発振信号周波数を第１中間周波信号周波数に等しい周波数を有する第３電圧制御発振器１７の送信キャリア信号で変調すれば、空きチャネル周波数と同じチャネル周波数の送信信号が得られる。
【００４１】
また、前記実施の形態においては、周波数走査信号受信部Ｒの構成が、２つのミキサ段２、８を用いたダブルスーパーへテロダイン構成のものである例を挙げて説明したが、周波数走査信号受信部Ｒにおける受信信号の周波数帯域が比較的狭い範囲のものであれば、１つのミキサ段だけを用いたシングルスーパーへテロダイン構成のものであってもよいことは勿論である。
【００４２】
なお、前記実施の形態に用いているキャリア検出器１３としては、通常使用されるキャリア検出器１３の他に、受信信号電界強度表示器（ＲＳＳＩ）を用いるようにしてもよい。
【図面の簡単な説明】
【００４３】
【図１】本発明による短距離伝送無線送受信装置の実施の形態に係るもので、その要部構成を示すブロック回路図である。
【符号の説明】
【００４４】
１  高周波増幅器（ＲＡ）
２  第１ミキサ段（ＭＩＸ１）
３  第１電圧制御発振器（ＶＣＯ１）
４  位相比較器（ＣＯＭ）
５  周波数分周器（ＦＤ）
６  基準周波数発生器（ＲＥＦ）
７  第１中間周波増幅器（ＩＦＡ１）
８  第２ミキサ段（ＭＩＸ１）
９  第２電圧制御発振器（ＶＣＯ１）
１０  第１オフセット電圧発生器（ＯＦＳ１）
１１  第２中間周波増幅器（ＩＦＡ１）
１２  復調器（ＤＥＴ）
１３  キャリア検出器（ＣＤＥＴ）
１４  制御部（ＣＰＵ）
１５  切替スイッチ（ＳＷ）
１６  低周波増幅器（ＬＡ）
１７  第３電圧制御発振器（ＶＣＯ３）
１８  第１オフセット電圧発生器（ＯＦＳ２）
１９  第３ミキサ段（ＭＩＸ３）
２０  送受信アンテナ
２１  デュプレクサ（ＤＵＰ）
２２  低周波信号出力端子
２３  変調信号入力端子
２４  制御信号入出力端子
Ｒ  周波数走査信号受信部
Ｔ  信号送信部
Ｃ  送受信兼用部
【図１】
2007329573.tif 000003